(57)【要約】      （修正有）【課題】柔軟な材料を使用し、改善された組織処置と治療効果が得られる治療テープを提供する。【解決手段】第一表面と、第一表面の反対側に位置する第二表面とを有する柔軟な材料の層を含む治療テープであって、第二表面は、皮膚に対面して形成され、第二表面を皮膚にしっかりと付着する接着剤を含み、および人間の指紋を模倣する繰返しパターンを含む。繰返しパターンは、第二表面の長さまたは幅全体にわたって繰り返される波状形状を含む。患者の皮膚に当てられた場合、繰返しパターンにより治療効果を改善することができる。【選択図】図３Ａ
0003213170.tif 000002
【実用新案登録請求の範囲】
【請求項１】
第一表面と、該第一表面の反対側に位置する第二表面とを有する柔軟な材料の層を含む治療テープであって、前記第二表面は、皮膚に対面して形成され、該第二表面を皮膚にしっかりと付着する接着剤を含み、および人間の指紋を模倣する繰返しパターンを含む治療テープ。
【請求項２】
前記繰返しパターンは、第二表面の長さまたは幅全体にわたって繰り返される波状形状を含む請求項１のテープ。
【請求項３】
前記パターンは、接着剤が存在する隆起で形成されている請求項１のテープ。
【請求項４】
前記パターンは、接着剤が存在する隆起と、接着剤が存在しない、または接着剤の厚さが隆起の厚さより小さい溝とで形成される請求項１のテープ。
【請求項５】
前記繰返しパターンは、第二表面の長さまたは幅全体にわたって繰り返される波状形状を含む請求項３または４のテープ。
【請求項６】
前記パターンは、第二表面上に織物の表面を含む請求項１のテープ。
【請求項７】
前記織物の表面は、テープが皮膚にしっかり付着した時、表皮と真皮との間に位置する幹細胞に刺激を与えるように選択された高さおよび深さを有する隆起および溝を含む請求項１のテープ。
【請求項８】
前記織物の表面は、接着剤が存在する隆起で形成されている請求項６または７のテープ。
【請求項９】
前記パターンは、接着剤が存在する隆起と、接着剤が存在しない、または接着剤の厚さが隆起の厚さより小さい溝とで形成される請求項６または７のテープ。
【請求項１０】
前記繰返しパターンは、単一のパターンデザインを含む請求項１のテープ。
【請求項１１】
前記繰返しパターンは、２つ以上のパターンデザインを含む請求項１のテープ。
【請求項１２】
各パターンデザインは、波状パターンを含むパターン請求項１０および１１のテープ。
【考案の詳細な説明】
【技術分野】
【０００１】
本願は、２０１２年５月１７日に出願された、米国仮出願第６１／６４８，５３９号について米国特許法第１１９条に基づく優先権を主張する。
【０００２】
本開示は、一般的に、テープのような柔軟な材料を使用して組織を処置するシステムおよび方法に関する。
【背景技術】
【０００３】
現在、種々の種類のテープが、組織を支持したり、筋肉、関節および他の組織に作用させるために使用されている。たとえば、細長いテープを患者の皮膚に付けることで、下層組織を支持し、または他の治療効果を与えることができる。ある症例では、治療テープは、単に構造的な支持を提供する、平坦な細長い材料であり得る。他の症例では、テープは、ヒトの皮膚に関連する特定の表面パターンを含むことができ、表皮、真皮ならびに周囲の結合組織、筋肉および細胞を始めとする下層組織を刺激することによって治療効果を提供することができる。このような表面パターンは、隆起と溝とで形成されたパターンを含むことができる。
【考案の概要】
【考案が解決しようとする課題】
【０００４】
現在利用できるテープは、ある用途には効果的であるが、幹細胞をより特異的に標的とし、免疫サポート、筋肉刺激、組織再生および修復、うっ血および毒物の除去、血流の改善および／または正常な体液バランスの維持のような治療効果を提供するために、改善されてもよい。したがって、本開示は、柔軟な材料を使用し、改善された組織処置をするデバイスおよび方法を提供する。
【課題を解決するための手段】
【０００５】
ある実施形態では、本開示は、治療テープを提供する。該テープは、第一表面と該第一表面の反対側に位置する第二表面とを有する柔軟な材料の層を含み得る。第二表面は、皮膚に対面して形成することができ、第二表面を皮膚にしっかりと付着する接着剤を含み得る。第二表面は、人間の指紋を模倣する繰返しパターンを含み得る。
【０００６】
ある実施形態では、ヒトに治療を施す方法が提供される。該方法は、第一表面と該第一表面の反対側に位置する第二表面とを有する、柔軟な材料の層を選択することを含み得る。第二表面は、皮膚に対面して形成することができ、人間の指紋を模倣する繰返しパターンを含み得る。該方法は、さらに、接着剤を使用して第二表面を皮膚にしっかり付着することを含み得る。
【図面の簡単な説明】
【０００７】
【図１】本開示のある実施形態による治療テープを示す。
【図２】本開示のある実施形態による治療テープの断面図を示す。
【図３Ａ】本開示のある実施形態による治療テープの表面を示す。
【図３Ｂ】図３Ａの断面を示す。
【図４】本開示のある実施形態による治療テープの表面を示す。
【考案を実施するための形態】
【０００８】
以下、本考案を実施するための形態について、添付の図面を参照して説明する。なお、
本考案は、以下に説明する実施形態に限定されるものではない。
【０００９】
本開示は、治療テープ、および患者の処置のために治療テープを使用する方法を提供する。種々の実施形態では、図１に示すように、治療テープ１０は、柔軟な材料２０の層を含み得る。柔軟な２０は、第一表面３０と、該第一表面３０の反対側に位置する第二表面４０とを有し得る。第二表面４０は、皮膚に対面して形成することができる。さらに、第二表面は、第二表面４０を皮膚にしっかり付着する接着剤５０を含み得る。ある実施形態では、治療テープ１０は、以下でさらに説明するように、第二表面上に繰返しパターンを含むことができる。
【００１０】
本開示による治療テープは、一般的に、筋骨格疾患を処置するため、および他の数多くの治療を提供するために使用することができる。治療テープ１０は、ヒトまたは動物の皮膚の上に置き、種々の治療処置を施すことができる。たとえば、いくつかの症例では、治療テープ１０を、間接の回り、筋骨格構造の回り、または皮膚のある個所上に置き、下層組織に支持またはマッサージ構造を提供したり、他の治療方法の補助をしたりすることができる。ある実施形態では、治療テープ１０は、細胞構造（たとえば、幹細胞）を含む下層構造を刺激することで、心理的機能を改善し、免疫機能を改善し、毒物を除去し、健康な組織発生を刺激し、毒物および／またはうっ血を除去し、血流を改善し、および／または水分バランスを改善するように形成される。
【００１１】
図１に示すように、治療テープ１０は、処置の改善をもたらすために、種々の特徴を含むことができる。たとえば、治療テープ１０は、下層組織の刺激に改善をもたらす表面構造を含むことができる。たとえば、いくつかの実施形態では、治療テープ１０の第二表面４０は、ヒトの指紋を模倣する繰返しパターンを含み得る。該繰返しパターンは、テープが、的確な刺激を与え、下層組織の過剰刺激を避けるように選択することができる。いくつかの実施形態では、下層表皮および真皮の間の幹細胞を刺激するように、繰返しパターンを選択することができる。幹細胞および他の細胞または組織の刺激は、先に挙げたような、種々の治療効果をもたらすことができる。人間の指紋に似ているパターンは、単なる波状のデザインに比べて、治療効果が改善されると考えられている。たとえば、指紋状パターンは、動いている間マッサージおよびリフティング効果を改善し、過剰に刺激することなく下層構造に作用すると考えられている。
【００１２】
図１に示すように、治療テープは、種々の異なる形状を含むことができる。たとえば、治療テープ１０は、図１に示されるような、細長い矩形構造を含むことができ、または種々の異なる形状を含むことができる。たとえば、治療テープは、正方形、卵型、円形、長方形、星形であることが可能であり、または「Ｙ」、「Ｍ」、「Ｘ」、「Ｈ」または「Ｔ」のような種々の交差した形状を形成することができる。さらに、テープ１０は、所望の用途および処置部位に応じて、広範囲の寸法を持つことができる。たとえば、丸い、卵型、または不規則な構造の、小片のテープは、着目される解剖学的部位（たとえば、足底、手のひら、または胴体、腕、頭または他の解剖学的位置上の特定の領域）の個々の刺激のために使用してもよい。あるいは、大きな片のテープは、より大きな領域（たとえば、ウマやウシのようなより大きな動物の肢、背中および／または筋骨格構造）を処置するために使用できる。
【００１３】
さらに、治療テープは、種々の異なる構造材料で形成することができる。ある実施形態では、治療テープ１０は、十分な構造的支持を提供し、機械的刺激の下層組織への伝達を可能にするに伝える、柔軟な高分子材料または布地で形成される。ある実施形態では、治療テープは、下層組織の刺激を可能にする十分な強度と硬さを持ちつつ、柔軟性を与えるように選択される。
【００１４】
図２に、種々の実施形態によるテープ１０の断面図を示す。先に記載したように、テープ１０の第二表面４０は、パターンおよび接着剤を含むことができる。種々の実施形態では、該パターンは、第二表面４０上に隆起と溝により形成され、織物風の表面を製造することができる。隆起３２および溝３４は、種々の高さおよび幅を持つように選択することができる。隆起３２の高さおよび溝３４の深さは、第二表面全体を通して揃っていることもでき、また第二表面４０上で変化を与えることもできる。種々の実施形態では、該高さおよび深さは、過剰刺激を起こすことなく、所望のレベルの刺激を下層組織に与えるように選択される。
【００１５】
パターンは、数多くの方法で形成することができる。たとえば、一実施形態では、パターンは接着剤で形成される。つまり、隆起３２は、所望の厚さを有する接着剤層で形成される。あるいは、隆起は、織物風の表面を形成する異なる構造材料で形成され、接着剤を該異なる構造材料に塗布することができる。いくつかの実施形態では、隆起３２は所望の厚さを持つ接着剤層で形成され、溝３４は、接着剤が存在しない、または隆起３２の厚さより薄い厚さの領域により形成される。
【００１６】
パターンは、数多くの適切な製造方法を使用して造ることができる。たとえば、先に記載したように、パターンは、接着剤が存在する隆起３２が形成され、接着剤が存在しない、または、先に記載したように、より少なく存在する範囲が溝３４として形成されるように接着剤で形成される。隆起３２および溝３４は、いくつかの方法で造ることができる。たとえば、隆起３２が望まれる場所にのみ接着剤を塗布するような集中塗布方法を使用して、接着剤を塗布してもよい。このような塗布方法は、型または集中散布（たとえば、自動搬送システムを備える）を含むことができる。あるいは、表面４０全体に接着剤を均一に塗布してもよく、および溝３４は、接着剤のいくらかまたは全てを、削り落とすまたは他の手段で除去することによって形成することができる。
【００１７】
第二表面４０上の人間の指紋を模倣する繰返しパターンの特定のデザインは、テープの長さおよび幅全体にわたって、同じでも、変化することもできる。図３および図４に、本開示によるテープの種々の実施形態を示す。図３に示すように、第二表面４０は、テープ１０の長さ全体に繰り返される単一パターンデザイン６０を含むことができる。あるいは、テープ１０は、テープ１０の長さまたは幅全体に、規則的または不規則な間隔で繰り返される複数のパターンデザインを有することができる。たとえば、図４に示すように、テープ１０’の第二表面４０’は、２つ以上のパターンデザイン６０、６２を含むことができる。本開示によるテープは、複数の異なるパターンデザインを含むことができ、互いに関連する特定のパターンデザインの位置は、提供されまたは強調される治療法が処置される組織部位に基づいて選択してもよいことは理解されよう。単なる例として、１つのまたは同じパターンを、他に対してある角度（たとえば、直角）で、すなわち連続しているように見えないように置くことも可能である。
【００１８】
先に記載したように、テープ１０、１０’のパターンは、第二表面４０、４０’上に隆起３２および溝３４で形成することができる。隆起は、接着剤が存在する位置で形成することができ、一方溝３４は、接着剤が存在しない、またはそれより少なく存在する位置で形成することができる。さらに、隆起および溝の幅および高さも変化してよい。また、他の溝３６は、接着剤を除去することにより形成し、異なるパターンを造ってもよい。人間の指紋を模倣するいかなるパターンおよび／またはパターンの組合せを使用してもよく、手の上で形成されるものが含まれる。このようなパターンとして、円形、卵型、波状または人間の指紋と一致する他のパターンを挙げることができる。
【００１９】
繰返しパターンは、所望の機械的刺激を下層細胞、組織、または他の構造に提供するように選択することができる。たとえば、曲げている、回転している、圧迫している、または伸ばしている間、テープは、過剰刺激をおこすことなく、穏やかなリフティングおよびマッサージ効果を提供するように設計される。穏やかなリフティングおよびマッサージは、疼痛をへらし、血流を改善し、リンパ排出を改善し、筋肉の機能および回復を改善し、および／または関節の構造および機能を改善する。
【００２０】
先に記載したように、本開示のテープは、皮膚に当てて治療を行う。テープは、ヒトおよび非ヒト対象（たとえば、家畜、ウマ、ペット）に適用し、先に検討した治療効果のいずれも達成することができることは、理解されよう。
【符号の説明】
【００２１】
１０  治療テープ
２０  柔軟な材料
３０  第一表面
４０  第二表面
５０  接着剤
３２  隆起
３４、３６  溝
６０、６２  単一パターンデザイン
【図１】
0003213170.tif 000003
【図２】
0003213170.tif 000004
【図３Ａ】
0003213170.tif 000005
【図３Ｂ】
0003213170.tif 000006
【図４】
0003213170.tif 000007
【手続補正書】
【提出日】平成29年8月16日(2017.8.16)
【手続補正１】
【補正対象書類名】実用新案登録請求の範囲
【補正対象項目名】全文
【補正方法】変更
【補正の内容】
【実用新案登録請求の範囲】
【請求項１】
第一表面と、該第一表面の反対側に位置する第二表面とを有する柔軟な材料の層を含む治療テープであって、前記第二表面は、皮膚に対面して形成され、該第二表面を皮膚にしっかりと付着する接着剤を含み、および人間の指紋を模倣する繰返しパターンを含む治療テープ。
【請求項２】
前記繰返しパターンは、第二表面の長さまたは幅全体にわたって繰り返される波状形状を含む請求項１のテープ。
【請求項３】
前記パターンは、接着剤が存在する隆起で形成されている請求項１のテープ。
【請求項４】
前記パターンは、接着剤が存在する隆起と、接着剤が存在しない、または接着剤の厚さが隆起の厚さより小さい溝とで形成される請求項１のテープ。
【請求項５】
前記繰返しパターンは、第二表面の長さまたは幅全体にわたって繰り返される波状形状を含む請求項３または４のテープ。
【請求項６】
前記パターンは、第二表面上に織物風の表面を含む請求項１のテープ。
【請求項７】
前記織物風の表面は、テープが皮膚にしっかり付着した時、表皮と真皮との間に位置する幹細胞に刺激を与えるように選択された高さおよび深さを有する隆起および溝を含む請求項６のテープ。
【請求項８】
前記織物風の表面は、接着剤が存在する隆起で形成されている請求項６または７のテープ。
【請求項９】
前記パターンは、接着剤が存在する隆起と、接着剤が存在しない、または接着剤の厚さが隆起の厚さより小さい溝とで形成される請求項６または７のテープ。
【請求項１０】
前記繰返しパターンは、単一のパターンデザインを含む請求項１のテープ。
【請求項１１】
前記繰返しパターンは、２つ以上のパターンデザインを含む請求項１のテープ。
【請求項１２】
各パターンデザインは、波状パターンを含むパターン請求項１０および１１のテープ。